(57)【要約】【課題】タブレット状の内容物を１個ずつ確実に取り出すことができると共に、紙箱等に梱包する際にも嵩張ることがない振出容器を提供する。【解決手段】容器本体７０と蓋部材８０を相対スライド可能に連結してなり、内部に複数のタブレット５を収容する収容空間を備える振出容器。容器本体７０の床部７４には、タブレット５が１個だけ入る凹部７５を形成する。蓋部材８０は、容器本体７０の凹部７５を容器内に位置させる閉位置と、同凹部７５を容器外に露出させる開位置との間をスライド可能である。蓋部材８０の内面には、収容空間内のタブレット５を凹部７５へと案内するガイド部材８５が形成されている。また、容器本体７０の床部７４は、容器本体裏面に対して上げ底に形成されていて、上げ底の高さを上記凹部７５の深さ以上とすることで、容器本体裏面の全体をフラットに構成している。【選択図】図７
2009083898.tif 000002
【特許請求の範囲】
【請求項１】
容器本体（１０、７０）と蓋部材（５０、８０）を相対スライド可能に連結してなり、内部に複数のタブレット（５）を収容する収容空間（２０）を備える振出容器であって、
容器本体（１０、７０）の床部（１４、７４）には、タブレット（５）が１個だけ入る凹部（１５、７５）が形成され、
蓋部材（５０、８０）は、容器本体（１０、７０）の凹部（１５、７５）を容器内に位置させる閉位置と、同凹部（１５、７５）を容器外に露出させる開位置との間をスライド可能であって、
蓋部材（５０、８０）の内面には、収容空間（２０）内のタブレット（５）を凹部（１５、７５）へと案内するガイド部材（５５、８５）が形成されていることを特徴とする、振出容器。
【請求項２】
上記凹部（１５）は、容器本体（１０）の床部（１４）に設けた開口（１４ａ）と、当該開口を通過したタブレット（５）を受け入れる箱体（２５）と、で構成されていることを特徴とする、請求項１記載の振出容器。
【請求項３】
上記容器本体（７０）の床部（７４）は、容器本体裏面に対して上げ底に形成されていて、
上げ底の高さを上記凹部（７５）の深さ以上とすることで、容器本体裏面の全体をフラットに構成したことを特徴とする、請求項１記載の振出容器。
【請求項４】
上記蓋部材（５０、８０）の内面には、閉位置にあるとき凹部（１５、７５）の上方に位置する箇所に、タブレット（５）を凹部（１５、５７）内へと案内する傾斜面（５６、８６）が形成されていることを特徴とする、請求項１〜３のいずれか１つに記載の振出容器。
【発明の詳細な説明】
【技術分野】
【０００１】
本発明は、錠剤状の医薬品、粒状の清涼剤等の内容物を、小出しに使用する携帯用の振出容器に関する。
【背景技術】
【０００２】
従来、錠剤状の医薬品や粒状の清涼剤等を収納して、小出しに使用する振出容器としては、例えば、容器本体に設けた小出し用取出口を摺動可能な蓋体で開閉するようにしたものが知られている（たとえば、特許文献１参照）。
【０００３】
特許文献１に開示された携帯用ケースは、内容物の小出し用取出口と収納部が連通しているために、蓋体を開方向側に摺動させて小出し用取出口を開放し、この小出し用取出口から内容物を取り出す際に、前記取出口を下側に向けると、内容物が複数個出てくる。このため、例えば、内容物を１個だけ取り出したい場合、内容物を確実に１個だけ取り出すことは結構困難であった。
【０００４】
そこで、上記問題を解決するものとして、小出し用取出口から確実に内容物を１個だけ取り出す振出容器が提案されている（たとえば、特許文献２参照）。この特許文献２に開示された振出容器は、容器本体に設けた小出し用取出口と内容物収納部の間の容器本体内側に突き出る凸部を設けると共に、蓋体の前記凸部に対応する位置に外側に突き出る膨出部を形成することにより、複数種類の内容物を各１個ずつ確実に取り出すようにしたものである。
【０００５】
しかしながら、特許文献２記載の振出容器は、蓋体に膨出部を有するために、紙箱等に梱包する際には、整列した状態で梱包することができないために（嵩張るために）無駄な空間ができ、入数に対する紙箱のコストがアップするといった問題や店頭で販売する際にも陳列し難いといった問題があった。
【０００６】
【特許文献１】特開平１１−１０５９４９号公報
【特許文献２】特開２００１−２４０１５８号公報
【発明の開示】
【発明が解決しようとする課題】
【０００７】
本発明は、上記従来の問題点を解決するために創案されたものであって、内容物を１個ずつ確実に取り出すことができると共に、紙箱等に梱包する際にも嵩張ることがない振出容器を提供することを目的とする。
【課題を解決するための手段】
【０００８】
本発明の振出容器は、容器本体と蓋部材を相対スライド可能に連結してなり、内部に複数のタブレットを収容する収容空間を備えてなる。
容器本体の床部には、タブレットが１個だけ入る凹部が形成されている。蓋部材は、「容器本体の凹部を容器内に位置させる閉位置」と「同凹部を容器外に露出させる開位置」との間をスライド可能である。
蓋部材の内面には、収容空間内のタブレットを凹部へと案内するガイド部材が形成されている。
【発明の効果】
【０００９】
上記構成を備えた本発明の振出容器においては、容器本体の床部に、タブレットが１つだけ入ることのできる凹部が形成されている。そして、蓋部材が「凹部を容器内に位置させる閉位置」と「同凹部を容器外に露出させる開位置」との間をスライドする。
したがって、凹部が容器本体内にあるときタブレットが１つだけ凹部内に入り、この状態で、蓋部材をスライドさせると当該凹部が容器外に露出する。すなわち、タブレットが１つだけ入った凹部が容器外に露出するので、取り出されるタブレットは常に１つだけである。
【００１０】
また、容器本体の床部を容器本体裏面に対して上げ底に形成し、この上げ底の高さを上記凹部の深さ以上とした場合には、容器本体裏面の全体をフラットに構成することが可能となる。
この場合、容器本体から外部へ向かって突出する膨出部を無くすことができるので、梱包の際に嵩張ることもない。
【発明を実施するための最良の形態】
【００１１】
図１〜図４を参照して、まず、本発明の第１実施形態に係る振出容器を説明する。
【００１２】
≪第１実施形態≫
第１実施形態の振出容器は、容器本体１０と蓋部材５０から構成される。図１は容器本体１０を、図２は蓋部材５０を示す斜視図である。
【００１３】
≪容器本体１０：図１≫
容器本体１０は、平板状の床部１４の三方を周壁１６で囲まれた平たいトレイ状の形態をなす。この容器本体１０に蓋部材５０を取り付けると、両者の間に収容空間２０が形成され、ここに複数のタブレット５が収容される。
床部１４の一端縁近傍の位置に、タブレット５を１つだけ受け入れることができる凹部１５が形成されている。この凹部１５は、床面に開口１４ａを設けるとともに、その下方側に箱体２５を固定することで形成されている。
【００１４】
開口１４ａの口径は、タブレット５が１つだけ通過できるように設定されており、箱体２５の深さおよび底面積も、タブレット５が１つだけ入るように設定されている。なお、凹部１５は、タブレット５を１つだけ受け入れることができるものであればよく、その限りにおいて具体的な形態は問わない。
【００１５】
≪蓋部材５０：図２≫
図２は、蓋部材５０の内面側を示す斜視図である。蓋部材５０は、容器本体１０の収容空間２０を閉じる天板５１と、その周縁に立設する周壁５２から構成される。
蓋部材５０を容器本体１０に取り付けたとき、蓋部材の周壁５２は、容器本体の周壁１６の外側に位置する。そして、周壁５２の端縁に設けた返り部５３が容器本体の底面側に係合し、これにより、蓋部材５０は、容器本体１０に対してスライド可能に連結される。
ただし、容器本体１０と蓋部材５０とをスライド可能に連結する具体的な機構は、これに限らず、適宜の構成を採用できる。
【００１６】
蓋部材５０の天板５１の内面には、一対の板状ガイド部材５５、５５を立設している。各ガイド部材５５は、平行に対向する板材５５ａと、斜め方向に配置した板材５５ｂとから構成されている。このガイド部材５５は、詳しくは後述するように、収容空間２０内のタブレット５を凹部１５へ向かって案内する。
【００１７】
次に、図３および図４を参照して、本発明の振出容器において、タブレット５が１個づつ振り出される機構について説明する。これらの図においては、説明を分かりやすくするために、容器本体１０を破線で、蓋部材５０を実線で示している。
【００１８】
≪振出し機構：図３、図４≫
（１）図３は、蓋部材５０が閉位置にある状態を示している。すなわち、蓋部材５０は容器本体１０を完全に閉じていて、凹部１５は容器内部に位置している。この状態で容器を前方に傾けると、タブレット５が１個だけ凹部１５内に入る。既に説明した通り、凹部１５は、タブレット５が１つだけ入り込むことができるように、そのサイズが設定されている。
【００１９】
蓋部材５０の内面に立設したガイド部材５５、５５は、全体として略「ハ」字状の案内路を形成し、タブレット５を凹部１５に向かって案内している。
図３では図示を省略しているが、２つの板材５５ａ、５５ａの間に設けた傾斜面５６（図２）が、蓋部材５０が閉位置にあるとき、凹部１５の上方に位置し、タブレット５を凹部１５内に案内する（落とし込む）。
タブレット５は、重力で凹部１５内に落ちるので、傾斜面５６は必ずしも必要ではないが、傾斜面５６が存在することで、タブレット５は、スムーズに移動し、破損が生じ難くなる。
【００２０】
（２）図４の開位置では、蓋部材５０は容器本体１０に対して最大限右方向に相対移動しており、凹部１５が完全に露出している。この状態で容器を逆さにして凹部１５内のタブレットを取り出すことができる。つまり、一回の操作で取り出すことのできるタブレットは、常に１つだけである。
【００２１】
ガイド部材５５や傾斜面５６は、上記と同様の効果を達成できるものであれば、具体的構成は問わない。
【００２２】
≪第２実施形態≫
次に、図５〜図７を参照して、第２実施形態に係る振出容器を説明する。この振出容器が第１実施形態に対して本質的に変わる点は、容器本体の床部を上げ底とすることで、容器裏面の全体をフラットに構成した点である。
以下、第１実施例と異なる点について説明する。
【００２３】
≪容器本体７０：図５≫
収容空間２０の床部７４は、上げ底に構成されている。図示の例では、３枚の板材ａ、ｂ、ｃを置くことで上げ底を実現するとともに、板ｂと板ｃの間に凹部７５を構成している。これ以外にも、フレーム構造等、適宜の方法で上げ底とすることができる。
凹部７５は、第１実施形態における凹部１５と同様、タブレット５を１つだけ受け入れることができるサイズ（深さ、底面積）とされるが、上げ底の高さ（上げ寸法）は、凹部７５の深さ以上に設定する。これにより、凹部５７にタブレット５を収容可能としつつ、容器裏面の全体をフラットに構成することができる。
【００２４】
すなわち、第２実施形態では、第１実施形態で見られたような外部に突出する箱体２５は存在せず、したがって、容器全体がシンプルかつコンパクトな形態となり、梱包の際に嵩張ることもない。
一方、第１実施形態の振出容器（図１〜図４）では、床部を上げ底にする必要がない分だけ、構造が簡単となり、部品点数およびコスト削減という点で有利である。
【００２５】
≪蓋部材８０：図６≫
蓋部材８０の構造は、基本的に、第１実施形態における蓋部材５０（図２）と同じである。第２実施形態では、上げ底を採用した分だけ、収容空間２０が低くなっており、それに応じて、ガイド部材８５の突出高さが低くなっている。機能的には同じである。
傾斜面８６の機能も、第１実施形態における傾斜面５６と同じである。
【００２６】
図７は、第２実施形態の振出容器が開位置にある状態を示している。タブレット５が１つだけ取り出される原理は、第１実施形態と同じである。
【図面の簡単な説明】
【００２７】
【図１】第１実施形態に係る振出容器を構成する容器本体の斜視図。
【図２】第１実施形態に係る振出容器を構成する蓋部材の内面斜視図。
【図３】第１実施形態の振出容器を、蓋部材が閉位置にある状態で示す斜視図。
【図４】第１実施形態の振出容器を、蓋部材が開位置にある状態で示す斜視図。
【図５】第２実施形態に係る振出容器を構成する容器本体の斜視図。
【図６】第２実施形態に係る振出容器を構成する蓋部材の内面斜視図。
【図７】第１実施形態の振出容器を、蓋部材が開位置にある状態で示す斜視図。
【符号の説明】
【００２８】
５  タブレット
１０  容器本体
１４  床部
１４ａ  開口
１５  凹部
１６  周壁
２０  収容空間
２５  箱体
５０  蓋部材
５１  天板
５２  周壁
５３  返り部
５５  ガイド部材
５６  傾斜面
７０  容器本体
７４  床部
７５  凹部
８０  蓋部材
８５  ガイド部材
８６  傾斜面
【図１】
2009083898.tif 000003
【図２】
2009083898.tif 000004
【図３】
2009083898.tif 000005
【図４】
2009083898.tif 000006
【図５】
2009083898.tif 000007
【図６】
2009083898.tif 000008
【図７】
2009083898.tif 000009